(57)【要約】【課題】本発明は、ブレーキ駆動部内で作動油が漏洩した場合に、油圧式ブレーキの制動力の低下を検出することができ、油圧式ブレーキの安全性を向上させることができるエレベータ装置を得ることを目的とするものである。【解決手段】モータ２の回転、及び油圧ユニット１１の加圧駆動は、主制御部としての制御盤１４によって制御される。制御盤１４は、かごの運転を制御する。また、制御盤１４は、回転計６からの回転信号によりモータ２の回転を監視する。さらに、制御盤１４は、外部からの作動油検出信号を受けると、Ｌ側ブレーキ駆動部８又はＲ側ブレーキ駆動部９内で作動油の漏洩が発生していると判断する。【選択図】図１
2008162773.tif 000002
【特許請求の範囲】
【請求項１】
昇降路内を昇降されるかご、
上記かごを昇降させるための駆動力を発生するモータ、
上記モータの回転軸の回転を検出するための回転検出手段、
上記回転軸と一体となって回転するブレーキ回転体と、内部の作動油の圧力に応じて、上記ブレーキ回転体の回転を制動するブレーキ駆動部とを有する油圧式ブレーキ、
上記ブレーキ駆動部内の作動油の圧力を制御する油圧ユニット、
上記ブレーキ駆動部内での作動油の漏洩を検出するための漏洩検出手段、及び
上記かごの運転を制御するとともに、上記漏洩検出手段からの検出信号を受けると、上記回転軸の回転状況と上記油圧ユニットの駆動状況とに基づいて、上記油圧式ブレーキの制動力が低下しているかどうかを判断し、上記油圧式ブレーキの制動力が低下していれば上記かごの運転を休止する主制御部
を備えていることを特徴とするエレベータ装置。
【請求項２】
上記油圧式ブレーキは、上記ブレーキ駆動部を複数有しており、
上記複数のブレーキ駆動部の作動油は、それぞれ上記油圧ユニットにより個別に制御され、
上記主制御部は、上記漏洩検出手段からの検出信号を受けると、上記複数のブレーキ駆動部の一部により上記ブレーキ回転体の回転を制動させたまま、残りの上記ブレーキ駆動部を開放させて、上記回転軸の回転を検出することによって、上記ブレーキ駆動部の制動力が低下していると判断することを特徴とする請求項１記載のエレベータ装置。
【請求項３】
上記主制御部は、監視センタの管理盤に公衆回線網を介して接続されており、上記ブレーキ駆動部内の作動油の漏洩が発生していること、及び上記油圧式ブレーキの制動力が低下していることの少なくともいずれか一方を通報することを特徴とする請求項２に記載のエレベータ装置。
【請求項４】
上記ブレーキ回転体は、ブレーキディスクであり、
上記ブレーキ駆動部は、上記ブレーキディスクに対向するように配設されかつ上記ブレーキディスクに対する対向面に開口部が設けられ、上記開口部に接続され上記回転軸の軸方向に沿う空洞部、及び上記空洞部の軸方向中間部に接続され上記油圧ユニットからの作動油が溜まるための油室部が内壁によって内部に形成されたシリンダケースと、上記シリンダケース内に上記油室部に当接するように挿入され、上記回転軸の軸方向への往復動を上記シリンダケースの内壁に案内されるピストンと、上記シリンダケースの内壁表面の上記油室部のブレーキディスク側に上記ピストンに当接するように設けられ、上記油室部からブレーキディスク側への作動油を遮蔽するためのオイルパッキンと、上記ピストンのブレーキディスク側の端部に設けられ、上記ピストンの往復動により上記ブレーキディスクに接離されるブレーキパッドと、上記シリンダケース内に設けられ、上記ピストンをブレーキディスク側へ付勢する弾性部材とを有しており、
上記シリンダケースの内壁の上記オイルパッキンのブレーキディスク側には、作動油を受ける油受け溝が設けられており、
上記漏洩検出手段は、上記油受け溝に流れた作動油に応じて検出信号を発生することを特徴とする請求項１から請求項３までのいずれか１項に記載のエレベータ装置。
【請求項５】
上記シリンダケースには、上記油受け溝から外部へ作動油が流れるケース内排油流路が形成されており、
上記ケース内排油流路は、排油配管を介して、上記排油配管からの作動油が溜まる油受け部に接続されており、
上記漏洩検出手段は、上記油受け部内に溜まった作動油の液面の位置に応じて検出信号を発生する液面センサであることを特徴とする請求項４記載のエレベータ装置。
【請求項６】
上記油受け部は、作業員による目視確認用の光透過部を有していることを特徴とする請求項５記載のエレベータ装置。
【請求項７】
上記シリンダケースの内壁表面の上記開口部の近傍には、上記ブレーキパッドとの間の隙間を埋めるための弾性パッキンが設けられていることを特徴とする請求項４から請求項６までのいずれか１項に記載のエレベータ装置。
【発明の詳細な説明】
【技術分野】
【０００１】
この発明は、油圧駆動によってモータの回転軸の回転を制動する油圧式ブレーキが適用されたエレベータ装置に関するものである。
【背景技術】
【０００２】
従来のエレベータ用巻上機のブレーキ装置では、油圧プランジャが作動油の圧力に応じて変位されることにより、モータの回転軸の回転が制動される（例えば、特許文献１参照）。
【０００３】
【特許文献１】特開２００２−９６９８５号公報
【発明の開示】
【発明が解決しようとする課題】
【０００４】
上記のような従来のエレベータ用巻上機のブレーキ装置では、油室からの作動油を遮蔽するオイルパッキンが例えば経年変化によって劣化したり、異物混入によって損傷を受けたりし、オイルパッキンに異常が発生すると、油室からオイルパッキンを通してブレーキディスク側へ作動油が漏洩してしまう。そして、ブレーキディスクの制動面に作動油が付着すると、作動油によってブレーキ装置の制動力が著しく低下してしまうため、かごを静止保持できなくなる。
【０００５】
この発明は、上記のような課題を解決するためになされたものであり、ブレーキ駆動部内で作動油が漏洩した場合に、油圧式ブレーキの制動力の低下を検出することができ、油圧式ブレーキの安全性を向上させることができるエレベータ装置を得ることを目的とする。
【課題を解決するための手段】
【０００６】
この発明に係るエレベータ装置は、昇降路内を昇降されるかご、かごを昇降させるための駆動力を発生するモータ、モータの回転軸の回転を検出するための回転検出手段、回転軸と一体となって回転するブレーキ回転体と、内部の作動油の圧力に応じて、ブレーキ回転体の回転を制動するブレーキ駆動部とを有する油圧式ブレーキ、ブレーキ駆動部内の作動油の圧力を制御する油圧ユニット、ブレーキ駆動部内での作動油の漏洩を検出するための漏洩検出手段、及びかごの運転を制御するとともに、漏洩検出手段からの検出信号を受けると、回転軸の回転状況と油圧ユニットの駆動状況とに基づいて、油圧式ブレーキの制動力が低下しているかどうかを判断し、油圧式ブレーキの制動力が低下していればかごの運転を休止する主制御部を備えたものである。
【発明の効果】
【０００７】
この発明のエレベータ装置は、ブレーキ駆動部内での作動油の漏洩が検出されると、主制御部によって油圧式ブレーキの制動力が低下したかどうかが判断され、油圧式ブレーキの制動力が低下していれば、かごの運転が休止されるので、ブレーキ駆動部内で作動油が漏洩した場合に、油圧式ブレーキの制動力の低下を検出することができ、油圧式ブレーキの安全性を向上させることができる。
【発明を実施するための最良の形態】
【０００８】
以下、この発明を実施するための最良の形態について、図面を参照して説明する。
実施の形態１．
図１は、この発明の実施の形態１によるエレベータ装置の概略を示す構成図である。
図において、昇降路内に設けられた巻上機１は、かご及びカウンターウェイト（図示せず）を昇降させるための駆動力を発生するモータ２と、モータ２の回転軸３に取り付けられたシーブ４と、回転軸３の回転を制動する油圧式ブレーキとしての油圧式ディスクブレーキ５とを有している。回転軸３の端部には、回転軸３の回転に応じて回転信号を発生する回転検出手段としての回転計（パルスエンコーダ）６が取り付けられている。
【０００９】
油圧式ディスクブレーキ５は、回転軸３に取り付けられたブレーキ回転体としてのブレーキディスク７と、ブレーキディスク７の制動面の両面を挟み込むようにそれぞれ配設されたＬ側及びＲ側ブレーキ駆動部８，９とを有している。Ｌ側及びＲ側ブレーキ駆動部８，９には、加圧用配管１０を介して、作動油を加圧するための油圧ユニット１１が接続されている。油圧ユニット１１は、Ｌ側及びＲ側ソレノイドバルブ１２，１３を有している。Ｌ側ソレノイドバルブ１２は、Ｌ側ブレーキ駆動部８の作動油を加圧する。Ｒ側ソレノイドバルブ１３は、Ｒ側ブレーキ駆動部９の作動油を加圧する。即ち、Ｌ側及びＲ側ブレーキ駆動部８，９の作動油は、Ｌ側及びＲ側ソレノイドバルブ１２，１３によって、互いに個別に加圧される。
【００１０】
モータ２の回転、及び油圧ユニット１１の加圧駆動は、主制御部としての制御盤１４によって制御される。制御盤１４は、複数の運転モードによって、かごの運転を制御する。また、制御盤１４は、回転計６からの回転信号によりモータ２の回転を監視する。さらに、制御盤１４は、外部からの作動油検出信号を受けると、Ｌ側ブレーキ駆動部８又はＲ側ブレーキ駆動部９内で作動油の漏洩が発生していると判断する。さらにまた、制御盤１４は、作動油検出信号を受けると、作動油の漏洩が発生したことを示す情報である漏洩発生情報（油漏れフラグ）を記憶し、作業員によるリセット操作を受けるまで漏洩発生情報を保持する。
【００１１】
ここで、制御盤１４の運転モードには、通常運転モード、ブレーキ確認モード及びブレーキ確認待機モードが含まれている。ブレーキ確認モードとは、制御盤１４が作動油検出信号を受けた後に、油圧式ディスクブレーキ５の制動力の低下を検出するための運転モードである。ブレーキ確認待機モードとは、通常運転モードからブレーキ確認モードに移行する際に、移行するための条件が成立するまで、通常運転モードのときと同様の運転を行うための運転モードである。
【００１２】
また、制御盤１４には、エレベータ利用者が少ない時間帯における所定時刻の情報が移行可能時刻情報として予め登録されている。さらに、制御盤１４は、漏洩発生情報を記憶すると、通常運転モードからブレーキ確認待機モードに運転モードを移行する。そして、制御盤１４は、ブレーキ確認待機モードのときに、現在時刻が移行可能時刻になると、呼びが無登録状態であり、かつかごが無負荷状態であれば、ブレーキ確認待機モードからブレーキ確認モードに運転モードを移行する。
【００１３】
さらにまた、制御盤１４は、ブレーキ確認モードのときに、Ｌ側及びＲ側ソレノイドバルブ１２，１３をそれぞれ個別に駆動させて、Ｌ側及びＲ側ブレーキ駆動部８，９のいずれか一方を制動させたまま、その他方を開放させる。このときに、かごの最大積載荷重の５０％の重量であるカウンターウェイトの自重を、ロープ（図示せず）を介してシーブ４が受けることにより、回転軸３が回転するかどうかを制御盤１４が確認する。即ち、制御盤１４は、Ｌ側及びＲ側ブレーキ駆動部８，９の一方のみのブレーキディスク７の回転制動時に、ブレーキディスク７の制動面上でスリップが発生するかどうかを確認する。また、制御盤１４は、ブレーキディスク７の制動面上でスリップが発生しなければ、そのまま運転モードをブレーキ確認待機モードに移行する。
【００１４】
一方、制御盤１４は、ブレーキディスク７の制動面上でスリップが発生したことを確認すると、運転モードを運転休止モードに移行し、かごの運転を休止する。さらに、制御盤１４は、例えば電話回線及びインターネット等の公衆回線網（図示せず）を介して、エレベータの遠隔監視を行う監視センタ内の管理盤１５に接続されている。さらにまた、制御盤１４は、ブレーキ駆動部８，９内で作動油の漏洩が発生していること、又はかごの運転を休止していることを管理盤１５に知らせる。
【００１５】
次に、Ｌ側ブレーキ駆動部８の構造についてより具体的に説明する。図２は、図１のＬ側ブレーキ駆動部８を拡大して示す側面図である。なお、図２では、Ｌ側ブレーキ駆動部８の一部を切り欠いて示す。Ｌ側ブレーキ駆動部８は、互いに対向する一対の油圧駆動機構８ａ、８ｂを有している。各油圧駆動機構８ａ，８ｂは、シリンダケース１６、ピストン１７、ディスク側高圧用オイルパッキン１８、反ディスク側高圧用オイルパッキン１９、ダストリップ付オイルシール２０、ブレーキシュー２１、ブレーキパッド２２及び弾性部材としてのばね２３を有している。
【００１６】
シリンダケース１６は、ブレーキディスク７に対向するように配設されている。また、シリンダケース１６のブレーキディスク７に対する対向面には、開口部としてのパッド受け部１６ａが設けられている。さらに、シリンダケース１６には、パッド受け部１６ａに接続され回転軸３の軸方向に沿う空洞部１６ｂと、空洞部１６ｂの軸方向中間部に接続されＬ側ソレノイドバルブ１２からの作動油が溜まる油室部１６ｃとが内壁によって形成されている。ピストン１７は、シリンダケース１６内に、往復道可能に挿入されている。また、ピストン１７は、回転軸３の軸方向への往復動をシリンダケース１６の内壁に案内される。さらに、ピストン１７の中間部には、油室部１６ｃ内に挿入され作動油の圧力を受けるピストン受圧部１７ａが設けられている。
【００１７】
各オイルパッキン１８，１９及びダストリップ付オイルシール２０は、シリンダケース１６の内壁とピストン１７との間の隙間を埋めるための部材である。ディスク側高圧用オイルパッキン１８は、シリンダケース１６内壁の油室部１６ｃのブレーキディスク７側に、空洞部１６ｂ全周に渡って取り付けられている。反ディスク側高圧用オイルパッキン１９は、シリンダケース１６内壁の油室部１６ｃの反ブレーキディスク７側に、空洞部１６ｂ全周に渡って取り付けられている。即ち、油室部１６ｃ内に溜まる作動油は、ディスク側高圧用オイルパッキン１８及び反ディスク側高圧用オイルパッキン１９によって、油室部１６ｃ外への流動が遮蔽される。
【００１８】
ダストリップ付オイルシール２０は、シリンダケース１６内壁のディスク側高圧用オイルパッキン１８のブレーキディスク７側に、ディスク側高圧用オイルパッキン１８から間隔をおいて、空洞部１６ｂ全周に渡って取り付けられている。また、ダストリップ付オイルシール２０は、ブレーキディスク７側からディスク側高圧用オイルパッキン１８側への異物（磨耗粉等）の侵入を遮断する。
【００１９】
ブレーキシュー２１は、ピストン１７のブレーキディスク７側の端部に設けられている。ブレーキパッド２２は、ブレーキシュー２１のブレーキディスク７側の面に取り付けられている。また、ブレーキパッド２２は、ピストン１７の往復動に伴ってブレーキディスク７の制動面に接離される。ばね２３は、シリンダケース１６の内壁の反ブレーキディスク７側の端部に設けられている。また、ばね２３は、ピストン１７をブレーキディスク７側へ付勢する。また、ばね２３のばね力（付勢力）は、油室部１６ｃ内の作動油の圧力が高まることによって消勢される。即ち、ピストン１７は、ばね２３のばね力によってブレーキディスク７側へ変位され、油室部１６ｃ内の作動油の圧力によって反ブレーキディスク７側へ変位される。
【００２０】
シリンダケース１６の内壁のパッド受け部１６ａとダストリップ付オイルシール２０との間には、油受け溝１６ｄが設けられている。また、シリンダケース１６の内壁には、油受け溝１６ｄに接続され、油受け溝１６ｄからシリンダケース１６の外部へ作動油が流動するためのケース内流路１６ｅが設けられている。油受け溝１６ｄに溜まる作動油の流動は、ダストリップ付オイルシール２０によって、ケース内流路１６ｅへ案内される。さらに、シリンダケース１６のケース内流路１６ｅの排出口には、排油配管としてのチューブ２３の一端部が接続されている。各油圧駆動機構８ａ、８ｂに接続された各チューブ２３の中間部は、互いに合流するように接続されている。
【００２１】
チューブ２３の他端部には、油受け部としてのオイルパン２４が取り付けられている。オイルパン２４内には、チューブ２３内を流動する作動油が溜まる。チューブ２３の他端部のオイルパン２４近傍には、作動油の漏洩（油漏れ）を検出するための漏洩検出手段としての液面センサ２５が設けられている。液面センサ２５は、オイルパン２４内に溜まった作動油の液面位置に応じて、作動油検出信号を発生する。また、オイルパン２４の側面には、作業員の目視確認用の光透過部としてのサイトグラス（のぞき窓）２６が設けられている。なお、Ｒ側ブレーキ駆動部９の構成は、Ｌ側ブレーキ駆動部８の構成と同様である。
【００２２】
ここで、制御盤１４は、演算処理部（ＣＰＵ）、記憶部（ＲＯＭ、ＲＡＭ及びハードディスク等）及び信号入出力部を持ったコンピュータ（図示せず）により構成することができる。制御盤１４のコンピュータの記憶部には、制御盤１４の動作を実現するためのプログラムが格納されている。
【００２３】
次に、動作について説明する。図３は、図１の制御盤１４の動作を示すフローチャートである。まず、制御盤１４は、通常運転モードによってかごの運転を制御しており、このときに、液面センサ２５から作動油検出信号を受けたかどうかを確認し（ステップＳ１）、作動油検出信号を受けるまで通常運転モードを継続する。作動油検出信号を受けると、制御盤１４は、Ｌ側ブレーキ駆動部８又はＲ側ブレーキ駆動部９内で作動油の漏洩が発生していると判断し、漏洩発生情報を記憶するとともに（ステップＳ２）、ブレーキ駆動部８，９内で作動油の漏洩が発生していることを管理盤１５に通報する（ステップＳ３）。また、制御盤１４は、運転モードを通常運転モードからブレーキ確認待機モードに移行する（ステップＳ４）。そして、制御盤１４は、内部時計（制御盤１４のクロック機能；図示せず）を参照することによって現在時刻を取得して、その現在時刻が移行可能時刻であるかどうかを確認し（ステップＳ５）、移行可能時刻でなければ、現在時刻が移行可能時刻になるまでブレーキ確認待機モードのまま、かごの運転を継続する。
【００２４】
現在時刻が移行可能時刻になると、制御盤１４は、現在のかごが無負荷状態であり、かつ現在の呼びが無登録状態であるかどうかを確認し（ステップＳ６）、これらを確認するまで待機する。現在のかごが無負荷となり、かつ現在の呼びが無登録となれば、制御盤１４は、運転モードをブレーキ確認待機モードからブレーキ確認モードに移行する（ステップＳ７）。そして、制御盤１４は、ブレーキ確認モードに移行すると、Ｒ側ブレーキ駆動部９によるブレーキディスク７の制動を維持したまま、Ｌ側ブレーキ駆動部８を開放させ（ステップＳ８）、回転軸３が回転したかどうかを確認する（ステップＳ９）。
【００２５】
このときに回転軸３が回転しなければ、制御盤１４は、Ｌ側ブレーキ駆動部８によるブレーキディスク７の制動を維持したまま、Ｒ側ブレーキ駆動部９を開放させ（ステップＳ１０）、回転軸３が回転したかどうかを確認する（ステップＳ１１）。このときでも回転軸３が回転しなければ、制御盤１４は、油圧式ディスクブレーキ５の制動力が低下していないと判断して、漏洩発生情報を記憶しているかどうかを確認する（ステップＳ１２）。ここで、このときまでに、作業員による手動のリセット操作を受けていれば、制御盤１４は、記憶している漏洩発生情報を消去している。そして、漏洩発生情報を記憶していれば、制御盤１４は、運転モードをブレーキ確認待機モードに移行し、現在時刻が移行可能時刻になるまで待機し、同様の動作を繰り返す。一方、漏洩発生情報が消去されていれば、制御盤１４は、運転モードを通常運転モードに移行し（ステップＳ１３）、作動油検出信号を受けるまで通常運転モードを継続する。
【００２６】
一方、Ｌ側及びＲ側ブレーキ駆動部８，９のいずれか一方を開放させたときに、回転軸３が回転した場合（ステップＳ９，１１のＹＥＳ方向）、制御盤１４は、油圧式ディスクブレーキ５の制動力が低下していると判断し、油圧式ディスクブレーキ５の制動力が低下していることを管理盤１５に通報する（ステップＳ１４）。そして、制御盤１４は、運転モードをブレーキ確認モードから運転休止モードに移行し、かごの運転を休止する（ステップＳ１５）。かごの運転を休止すると、制御盤１４は、作業員によるリセット操作を受けるまで待機する（ステップＳ１６）。そして、制御盤１４は、作業員によるリセット操作に応じて運転モードを運転休止モードから通常運転モードに移行し（ステップＳ１７）、作動油検出信号を受けるまで通常運転モードを継続する。
【００２７】
上記のようなエレベータ装置では、ブレーキ駆動部８，９内での作動油の漏洩が検出されると、制御盤１４によって油圧式ディスクブレーキ５の制動力が低下したかどうかが判断され、油圧式ディスクブレーキ５の制動力が低下していれば、かごの運転が休止されるので、ブレーキ駆動部８，９内で作動油が漏洩した場合に、油圧式ディスクブレーキ５の制動力の低下を検出することができ、油圧式ディスクブレーキ５の安全性を向上させることができる。
【００２８】
また、制御盤１４がブレーキ駆動部８，９内で作動油の漏洩が発生していることを、公衆回線網を介して管理盤１５に通報するので、油圧式ディスクブレーキ５の制動力が低下する前に、作業員によって早期の点検作業を行うことができる。
【００２９】
さらに、シリンダケース１６の内壁のディスク側高圧用オイルパッキン１８の反油室部１６ｃ側に油受け溝１６ｄが設けられているので、ディスク側高圧用オイルパッキン１８の異常を早期に検出することができる。
【００３０】
さらにまた、オイルパン２４の側面にサイトグラス２６が設けられているので、オイルパン２４内の作動油の貯留状況を作業員によって目視確認可能となることにより、保守時の作業効率を向上させることができる。
【００３１】
実施の形態２．
次に、この発明の実施の形態２について説明する。図４は、実施の形態２によるＬ側ブレーキ駆動部８を拡大して示す側面図である。シリンダケース１６の内壁のパッド受け部１６ａ近傍には、ブレーキシュー２１との間の隙間を遮蔽するための弾性パッキンとしての環状のゴムパッキン２７が取り付けられている。他の構成及び動作は実施の形態１と同様である。
【００３２】
上記のようなエレベータ装置では、シリンダケース１６の内壁のパッド受け部１６ａ近傍に環状のゴムパッキン２７が取り付けられているので、ディスク側オイルパッキン１８及びダストリップ付オイルシール２０への磨耗粉等の異物の侵入を防ぐことができ、ディスク側オイルパッキン１８及びダストリップ付オイルシール２０の耐久性を向上させることができる。
【００３３】
また、油室部１６ｃから、シリンダケース１６の内壁表面、又はピストン１７表面を伝わり、ディスク側オイルパッキン１８及びダストリップ付オイルシール２０を経て、パッド受け部１６ａ近傍まで流出した作動油がゴムパッキン２７によって塞き止められるので、作動油による制動力の低下を抑えることができる。
【００３４】
なお、実施の形態１，２では、油圧式ブレーキとして油圧式ディスクブレーキ５が適用されたエレベータ装置について説明したが、この発明は、油圧式ブレーキとして油圧式ドラムブレーキが適用されたエレベータ装置にも適用することができる。
【００３５】
また、実施の形態１，２では、Ｌ側及びＲ側ブレーキ駆動部８，９の２つのブレーキ駆動部を用いたが、ブレーキ駆動部の数は、２つに限るものではなく、３つ以上であってもよい。この場合、主制御部は、複数のブレーキ駆動部の一部によりブレーキ回転体の回転を制動させたまま、その残りのブレーキ駆動部を開放させたときに、回転軸が回転するかどうかによって、ブレーキ駆動部の制動力が低下しているかどうかを判断する。
【００３６】
さらに、実施の形態１，２では、漏洩検出手段として液面センサ２５を用いたが、漏洩検出手段は、液面センサに限るものではなく、例えば排油配管内の作動油の流動を検出するための流動センサ等を用いてもよい。さらに、漏洩検出手段は、排油配管を介さずに、直接シリンダケースに取り付けてもよい。
【００３７】
また、実施の形態１，２では、油受け部としてオイルパン２４を用いたが、油受け部は、オイルパンに限るものではなく、作動油を貯留可能なものであればよい。また、油受け部を用いずに、例えば反シリンダケース側の端部が塞がれたチューブ等を用いてもよい。
【図面の簡単な説明】
【００３８】
【図１】この発明の実施の形態１によるエレベータ装置の概略を示す構成図である。
【図２】図１のＬ側ブレーキ駆動部を拡大して示す側面図である。
【図３】図１の制御盤の動作を示すフローチャートである。
【図４】この発明の実施の形態２によるＬ側ブレーキ駆動部を拡大して示す側面図である。
【符号の説明】
【００３９】
２  モータ、３  回転軸、５  油圧式ディスクブレーキ（油圧式ブレーキ）、６  回転計（回転検出手段）、７  ブレーキディスク（ブレーキ回転体）、８  Ｌ側ブレーキ駆動部、９  Ｒ側ブレーキ駆動部、１１  油圧ユニット、１４  制御盤（主制御部）、１５  管理盤、１６  シリンダケース、１６ａ  パッド受け部（開口部）、１６ｂ  空洞部、１６ｄ  油受け溝、１６ｃ  油室部、１７  ピストン、１８  ディスク側オイルパッキン、２２  ブレーキパッド、２３  チューブ（排油配管）、２４  オイルパン（油受け部）、２５  液面センサ（漏洩検出手段）、２６  サイトグラス（光透過部）、２７  ゴムパッキン（弾性パッキン）。
【図１】
2008162773.tif 000003
【図２】
2008162773.tif 000004
【図３】
2008162773.tif 000005
【図４】
2008162773.tif 000006